(57)【要約】【課題】種子入り袋を簡単な作業により包装用台紙に安定して定着させて包装できる植物の種子用包装体を提供する。【解決手段】材紙１１に折り線１２を介して一対のパネル１３，１４を形成し、材紙１１を二つ折りして包装用外袋３に収容する包装用台紙１を備える。一方のパネルの内側面に種子入り袋２を添装する部位に位置させて両面粘着テープ等で構成した粘着剤層１７を設け、粘着剤層を設けたパネルに種子入り袋２を添装し、粘着させて保持させる。そして、両パネルを二つ折りして外袋３に収容し、包装する。【選択図】        図１
2005280729.tif 000002
【特許請求の範囲】
【請求項１】
種子を収容して密封した種子入り袋を保持させて包装用外袋に収容して包装する植物の種子用包装体であって、
材紙を折り畳んで前記外袋に収容する大きさに形成される包装用台紙を備え、
前記台紙は、前記材紙に折り線を介して形成された一対のパネルを有し、
前記台紙のパネルのうち、いずれか一方のパネルは、前記種子入り袋を添装する部位に位置させて設けた粘着剤層を有し、
前記粘着剤層を設けた前記パネルに前記種子入り袋を添装して粘着させて保持させるように構成したことを特徴とする、
植物の種子用包装体。
【請求項２】
種子を収容して密封した種子入り袋を保持させて包装用外袋に収容して包装する植物の種子用包装体であって、
材紙を折り畳んで前記外袋に収容する大きさに形成される包装用台紙を備え、
前記台紙は、前記材紙に折り線を介して形成された第１のパネルと、第２のパネル、及び第３のパネルとを有し、
前記台紙のパネルのうち、任意の１つのパネルは、前記種子入り袋を添装する部位に位置させて設けた粘着剤層を有し、
前記粘着剤層を設けた前記パネルに前記種子入り袋を添装して粘着させて保持させるように構成したことを特徴とする、
植物の種子用包装体。
【請求項３】
請求項１又は２に記載の植物の種子用包装体において、前記種子入り袋を保持させる前記パネルには、前記種子入り袋の添装部を指標する位置決め用の指標線が表示されていることを特徴とする、植物の種子用包装体。
【請求項４】
前記種子入り袋内に空気等のガスが封入されていることを特徴とする、請求項１ないし３のいずれか１項に記載の植物の種子用包装体。
【請求項５】
前記粘着剤層は、前記台紙のパネルに代えて、前記種子入り袋側に設けられ、前記種子入り袋を前記台紙の所定のパネルの所定の部位に添装して粘着させて保持させるように構成したことを特徴とする、請求項１ないし４のいずれか１項に記載の植物の種子用包装体。
【請求項６】
前記粘着剤層は両面粘着テープで構成されていることを特徴とする、請求項１ないし５のいずれか１項に記載の植物の種子用包装体。
【発明の詳細な説明】
【技術分野】
【０００１】
本発明は、花、野菜その他の各種の植物の種子を包装する植物の種子用包装体に関するものである。
【背景技術】
【０００２】
従来、植物の種子を包装する方法として複数のタイプがある。その一例として、種子を四角形の袋（一般に中袋と称している）に入れて密封し、これを包装用外袋に収容して包装する方法がある。
【０００３】
上記した方式による種子の包装として、例えば、図１３に示す方法（以下、「先行例」という）が試みられている。以下、この先行例について図１３を参照して説明する。先行例は厚紙等で構成した材紙５０を折り畳んで包装用外袋５９に収容する大きさに形成される包装用台紙５１を備え、台紙５１は図１３ａに示すように、材紙５０に折り線５２を介して形成された一対のパネル５３，５４を有している。前記両パネル５３，５４には、所望の事項や説明等が印刷により表示（図示せず）される。
【０００４】
植物の種子５５はプラスチックフィルム材等で形成した四角形の袋５６内に収容され、袋５６の両側縁及び前縁をヒートシール５７、５８して封入されている。前記外袋５９は透明プラスチックフィルム材等で形成され、出入口６０に蓋片６１が延設して形成されている。
【０００５】
そして、材紙５０を折り線５２に沿って二つ折りすると共に種子５５を両パネル５３，５４間に挿入し、これを外袋５９内に収容して蓋片６１を閉じ、粘着テープ等（図示せず）で蓋片を止め着して包装するように構成してある。
【０００６】
しかるに、先行例は次のような問題を有している。即ち、先行例は種子入り袋５６を単に両パネル５３，５４間に挿入して外袋５９に収容されているので、袋５６は一定の位置に静止することなく、取扱作業中等に外袋５９内で上下左右方向へ自由に摺動することになる。
上記のように、先行例においては種子入り袋５６を外袋５９内において一定の位置に静止させることができない。そのため、袋５６の前記した摺動により、種子に傷が付く恐れを有している（植物の種子はその種類等により傷が付き易いものがある）。
【０００７】
また、先行例は、外袋５９から台紙５１を取り出すと、種子入り袋５６は台紙から離れるので、例えば複数種類の種子を購入した場合等においては、保管中等に種子の名前が判らなくなることが生じる（種子入り袋には種子の名前が表示されていない）。
さらにまた、外袋５９から台紙５１を取り出す際に、不用意に種子入り袋５６を落下する恐れも有している。この場合、種子入り袋を落下すると、前記と同様に種子に傷が付く問題が生じる。
【発明の開示】
【発明が解決しようとする課題】
【０００８】
本発明は上記のような実情に鑑みてなされたもので、簡単な作業により種子入り袋を整然かつ安定して包装用台紙に定着させ、取扱中に種子入り袋が摺動するのを防止できると共に外袋から台紙を取り出す際に種子入り袋が不用意に落下する問題、及び台紙から離れる問題を解消した植物の種子用包装体を提供することを目的とするものである。
【課題を解決するための手段】
【０００９】
上記目的を達成するため、本発明のうち１つの発明（第１の発明）は、種子を収容して密封した種子入り袋を保持させて包装用外袋に収容して包装する植物の種子用包装体であって、材紙を折り畳んで前記外袋に収容する大きさに形成される包装用台紙を備え、前記台紙は、前記材紙に折り線を介して形成された一対のパネルを有し、前記台紙のパネルのうち、いずれか一方のパネルは、前記種子入り袋を添装する部位に位置させて設けた粘着剤層を有し、前記粘着剤層を設けた前記パネルに前記種子入り袋を添装して粘着保持させるように構成したことを特徴とする。
【００１０】
本発明において、前記粘着剤層は例えば両面粘着テープ等で構成することができる。この構成に関しては後述する各発明においても同様である。
【００１１】
本発明の他の１つの発明（第２の発明）は、種子を収容して密封した種子入り袋を保持させて包装用外袋に収容して包装する植物の種子用包装体であって、材紙を折り畳んで前記外袋に収容する大きさに形成される包装用台紙を備え、前記台紙は、前記材紙に折り線を介して形成された第１のパネルと、第２のパネル、及び第３のパネルとを有し、前記台紙のパネルのうち、任意の１つのパネルは、前記種子入り袋を添装する部位に位置させて設けた粘着剤層を有し、前記粘着剤層を設けた前記パネルに前記種子入り袋を添装して粘着させて保持させるように構成したことを特徴とする。
【００１２】
本発明の他の１つの発明（第３の発明）は、第１及び第２の発明の植物の種子用包装体において、前記種子入り袋を保持させるパネルには、前記種子入り袋を添装する部位に位置させて、前記種子入り袋の添装部を指標する位置決め用の指標線が表示されていることを特徴とする。
【００１３】
本発明の他の１つの発明（第４の発明）は、第１ないし第３のいずれかの発明の植物の種子用包装体において、前記粘着剤層は、前記台紙のパネルに代えて前記種子入り袋側に設けられ、前記種子入り袋を前記台紙の所望のパネルの所定の部位に添装して粘着させて保持させるように構成したことを特徴とする。
【００１４】
本発明の他の１つの発明（第５の発明）は、第１ないし第４のいずれかの発明の植物の種子用包装体において、前記種子入り袋内に空気等のガスが封入されていることを特徴とする。
【発明の効果】
【００１５】
本発明によれば種子入り袋を包装用台紙の所定のパネルの所定の位置に添装して軽く押し付けることにより、種子入り袋は粘着剤層により粘着して前記パネルに保持される。したがって、簡単な作業により種子入り袋を整然かつ安定して前記台紙に定着させて包装でき、取扱中に種子入り袋が摺動するのを防止できると共に外袋から台紙を取り出す際に種子入り袋が不用意に落下したり、台紙から離れる問題を解消することができる。
第３の発明によれば、前記効果に加え、種子入り袋のパネルに対する添装位置が一目で判るので、添着作業が一層簡単かつ良好に行なえる。また、第５の発明によれば、前記効果に加え、種子入り袋内のガスがエアークッションとして作用するので、取扱中における種子の傷付き防止効果を一層向上できる。
【発明を実施するための最良の形態】
【００１６】
以下図面を参照して本発明の実施の形態の一例を説明する。
【００１７】
図１ないし図６は本発明の植物の種子用包装体の一実施の形態（実施の形態１）を示すもので、図１は概要を示す説明図、図２は包装用台紙を表面側から見た展開平面図、図３は包装用台紙に種子入り袋を添装して粘着させて保持させた状態を示す説明図、図４は種子入り袋の一部を切欠して示す説明図、図５は包装用台紙の粘着剤層を設けた部分を拡大して示す縦断面図、図６は台紙を折り畳んだ状態を示す斜視図である。
【００１８】
上記図１ないし図６において、この実施の形態１の植物の種子用包装体は、種子入り袋２を保持させて包装する包装用台紙１を備えている。
【００１９】
前記台紙１は材紙１１を折り畳んで包装用外袋３に収容する大きさに形成されている。材紙１１の素材は特に限定するものではないが、一般的には、例えば、洋紙や和紙、或いは合成紙等が採用される。
【００２０】
実施の形態１の前記台紙１は、材紙に折り線１２を介して形成された略同一大の一対のパネル１３，１４を有している。前記台紙１は両パネル１３，１４を折り線１２に沿って折り畳んで形成される。
【００２１】
前記各パネル１３，１４には所望の事項や説明文、或いは絵柄等が印刷により表示されている。両パネル１３，１４に印刷される事項等は任意に決定する。例えば、図示の実施の形態１では、一方のパネル１３には、表面側に植物の名前１５ａや絵柄１５ｂ等を、また、内側面側に絵柄１５ｃや説明文１５ｄ等を、他方のパネル１４には、表面側に説明文１５ｅを、また、内側面側に種子の形状の図柄１５ｆや発芽した苗の図柄１５ｇ等を印刷した例が開示されている。
なお、上述したように、前記印刷される事項等は任意に変更できるものである。この点に関しては後述する各実施の形態においても同様である。
【００２２】
種子入り袋２は従来と同様に適当な大きさの四角形の袋２Ａ内に植物の種子４を収容し、密封してなっている。前記袋２Ａはプラスチックフィルムその他の素材で構成され、袋２Ａ内に種子４を収容すると共に袋２Ａの両側縁及び前縁をヒートシール１６ａ，１６ｂ，１６ｃして密封されている。前記袋２Ａは従来と同様に任意の手段で防湿性を付与させてある。
また、実施の形態１の種子入り袋２は、袋２Ａ内に種子４と一緒に適量の空気等のガスが封入されている（図４参照）。この構成を採用すると、前記ガスがエアークッションとして作用するので、袋２Ａ内の種子を保護する効果を発揮する。前記ガスは所望に応じて封入するものである。この点に関しては後述する各実施の形態においても同様である。
【００２３】
前記台紙１のパネル１３，１４のうち、一方のパネルは種子入り袋２を添装する部位に位置させて設けた粘着剤層１７を有している。実施の形態１ではパネル１４の内側面の適当部位（図１及び図３において下半部の略中央部）に位置させて粘着剤層１７を設けた例が開示されている。
粘着剤層１７は、例えば両面粘着テープの一方の面をパネルに粘着（接着）して構成することができる。また、粘着剤層１７上には、図５に示すように剥離テープ１８が添装してある。この構成に関しては後述する各実施の形態においても同様である。
【００２４】
実施の形態１の前記パネル１４の内側面には、種子入り袋２を添装する部位に位置させて、前記袋２の添装部を指標する位置決め用の指標線１９が印刷等で表示されている。この実施の形態１の指標線１９は前記種子入り袋２と対応する大きさの四角形の枠線で形成した例が開示されている。
【００２５】
前記包装用外袋３は前記台紙１を折り畳んで収容し、包装するもので、従来と同様に透明プラスチックフィルム材等で所定の大きさに形成され、図１ｃに示すように、袋３の出入口３ａに蓋片３ｂを延設して形成されている。
【００２６】
実施の形態１の植物の種子用包装体は上記のように構成したもので、次に使用方法の一例及び作用効果等について説明する。剥離テープ１８を粘着剤層１７から剥し、種子入り袋２を指標線１９に合わせてパネル１４に当接（添装）し、軽く押し付けることにより、種子入り袋２は粘着剤層１７により粘着して保持される。
次いで、両パネル１３，１４を折線１２に沿って二つ折りし、これを外袋３に収容して蓋片３ｂを折り返して閉じ、粘着テープ等（図示せず）で蓋片３ｂを止着して包装する。これにより、種子入り袋を整然、かつ安定して台紙１２に定着させて包装でき、取扱中等に種子入り袋２が摺動するのを防止できると共に外袋から台紙１を取り出す際に種子入り袋が不用意に落下したり、台紙１から離れる問題を解消することができる。
また、種子入り袋２を引っ張ることにより、パネル１４から剥離できる。そこで、種子の所用時に種子入り袋２をパネル１４から剥離して使用するものである。
【００２７】
なお、実施の形態１では、粘着剤層１７を台紙１のパネルに設けた例を開示したが、種子入り袋２の一方の外側面に粘着剤層１７を設ける構成を採用することもできる。この構成によっても実施の形態１と同様の作用効果を奏する。上記した粘着剤層１７を種子入り袋２側に設ける構成については後述する各実施の形態においても同様である。
【００２８】
図７は本発明の植物の種子用包装体の他の実施の形態（実施の形態２）を示す包装用台紙を示す展開平面図である。この実施の形態２の包装用台紙において、実施の形態１で既に説明した構成と共通する部材等には同一符号を付し、説明を省略する。実施の形態２は指標線の表示構成に特徴がある。
【００２９】
即ち、実施の形態２の指標線１９Ａは、実施の形態１の四角形の枠線で構成した指標線１９に代え、種子入り袋２のサイズに対応させ、袋２Ａの各角部に相当する部位のみに表示した４つの直角線で構成されている。他の構成は実施の形態１と同様である。なお、指標線を上記した変形態様の構成を採用できることについては、後述する各実施の形態においても同様である。
【００３０】
実施の形態２は上記のように構成し、実施の形態１と同様に使用する。これにより、実施の形態１と同様の作用効果を奏する。
【００３１】
図８は本発明の植物の種子用包装体のさらに他の実施の形態（実施の形態３）を示す包装用台紙の展開平面図である。この実施の形態３の包装用台紙において、実施の形態１で既に説明した構成と共通する部材等には同一符号を付し、説明は省略する。実施の形態３も指標線の表示構成に特徴がある。
【００３２】
実施の形態３は、実施の形態１のパネル１４の所定部に表示した指標線１９の外側を囲ませて、前記線１９より大きい四角形の枠線で形成した指標線１９Ｂが印刷等で表示されている。
即ち、実施の形態３では大きさを異にした２つの指標線１９，１９Ｂを設けた構成を採用した例が開示されている。他の構成は実施の形態１と同様である。なお、指標線の数量は所望に応じてさらに増量することができる。この指標線の構成に関しては後述する実施の形態においても同様である。
【００３３】
実施の形態３は上記のように構成し、実施の形態１と同様に使用する。これにより、実施の形態１と同様の作用効果を奏する。また、実施の形態３の構成を採用すると、例えばサイズを異にする種子入り袋を包装する場合においても、その大きさに応じていずれかの指標線１９又は１９Ｂを選択して添装する位置を決めることができる。
【００３４】
図９は本発明の植物の種子用包装体のさらに他の実施の形態（実施の形態４）を示す包装用台紙を内側面から見た展開平面図、図１０は同上台紙を表面側から見た展開平面図、図１１は同上台紙に種子入り袋を添装して粘着させた状態を示す説明図、図１２は同上台紙を折り畳む工程を示す説明図である。この実施の形態４において、実施の形態１で既に説明した構成と共通する部材等には同一符号を付し、説明を省略する。実施の形態４は包装用台紙の構成に特徴がある。
【００３５】
実施の形態４の包装用台紙１Ａは、材紙１１Ａに折り線２２，２３を介して形成された第１のパネル２４と、第２のパネル２５、及び第３のパネル２６とを有している。前記台紙１Ａは、材紙１１Ａの第２及び第３のパネル２５，２６を折り線２２，２３に沿って第１のパネル２４側へ折り畳んで包装用外袋３に収容する大きさに形成されている。
【００３６】
前記台紙１Ａの前記第１ないし第３のパネル２４，２５，２６のうち、任意の１つのパネルは、種子入り袋２を添装する部位に位置させて設けた粘着剤層１７を有している。実施の形態４では第１のパネル２４の内側面の適当な部位（図９においてパネル２４の下半部の略中央部）に位置させて粘着剤層１７を設けた例が開示されている。この場合、粘着剤層１７は第２又は第３のパネル２５又は２６に設ける構成を採用してもよい。他の構成は実施の形態１と同様である。
【００３７】
実施の形態４の植物の種子用包装体は上記のように構成し、実施の形態１と同様に剥離テープ（図示せず）を剥し、種子入り袋２を指標線１９に合わせて第１のパネル２４に当接（添装）し、軽く押し付けることにより、種子入り袋２は粘着剤層１７により粘着して第１のパネル２４に保持される（図１１参照）。
次いで、第３のパネル２６を第１のパネル２４上へ折り線２３に沿って折り畳むと共に第２のパネル２５を第３のパネル２６上へ折り線２２に沿って折り畳み（図１２参照）、これを外袋３に収容して実施の形態１と同様に包装する。これにより実施の形態１と同様の作用効果を奏する。
【００３８】
なお、上記した各実施の形態は一例として開示したもので、本発明はこれらの実施の形態に限定されるものではなく、特許請求の範囲に記載の技術思想を越脱しない範囲内において任意に変更可能なものである。
【図面の簡単な説明】
【００３９】
【図１】本発明の植物の種子用包装体の一実施の形態を示すもので、同図（ａ）は包装用台紙の斜視図、同図（ｂ）は種子入り袋の斜視図、同図（ｃ）は包装用外袋の一例を示す斜視図である。
【図２】包装用台紙を表面側から見た展開平面図である。
【図３】包装用台紙に種子入り袋を添装して粘着させて保持させた状態を示す説明図である。
【図４】種子入り袋の一部を切欠して示す説明図である。
【図５】包装用台紙の粘着剤層を設けた部分を拡大して示す縦断面図である。
【図６】包装用台紙を折り畳んだ状態を示す斜視図である。
【図７】本発明の植物の種子用包装体の他の実施の形態を示す包装用台紙の展開平面図である。
【図８】本発明の植物の種子用包装体のさらに他の実施の形態を示す包装用台紙の展開平面図である。
【図９】本発明の植物の種子用包装体のさらに他の実施の形態を示す包装用台紙を内側面から見た展開平面図である。
【図１０】図９の包装用台紙を表面側から見た展開平面図である。
【図１１】図９に示す実施の形態の包装用台紙に種子入り袋を添装して粘着させて保持させた状態を示す説明図である。
【図１２】図９に示す実施の形態の包装用台紙を折り畳む工程を示す説明図であって、同図（ａ）は種子入り袋を添装して保持させた第１のパネル上へ第３のパネルを折り返した状態を示す説明図、同図（ｂ）は第３のパネル上へ第２のパネルを折り返した状態を示す説明図である。
【図１３】従来の植物の種子用包装体の一例を示す図であって、同図（ａ）は包装用台紙の斜視図、同図（ｂ）は種子入り袋の斜視図、同図（ｃ）は包装用外袋の斜視図である。
【符号の説明】
【００４０】
１        包装用台紙
２        種子入り袋
３        包装用外袋
１１        材紙
１２        折り線
１３        パネル
１４        パネル
１７        粘着剤層
【図１】
2005280729.tif 000003
【図２】
2005280729.tif 000004
【図３】
2005280729.tif 000005
【図４】
2005280729.tif 000006
【図５】
2005280729.tif 000007
【図６】
2005280729.tif 000008
【図７】
2005280729.tif 000009
【図８】
2005280729.tif 000010
【図９】
2005280729.tif 000011
【図１０】
2005280729.tif 000012
【図１１】
2005280729.tif 000013
【図１２】
2005280729.tif 000014
【図１３】
2005280729.tif 000015